(57)【要約】【課題】高密度化に対応したランド形状の孔を有する回路基板を提供することを課題とする。【解決手段】絶縁性基板上に導電層による回路部が形成され、かつ内壁を導電層で被覆または充填された貫通孔および／または非貫通孔を有する回路基板において、貫通孔および／または非貫通孔のランドが該孔に対して同心円状に連続して形成されており、絶縁性基板の角部を基準点として、ランドの非連結部における導電層の最大高さが−５μｍ以上、回路部の導電層の厚み以下であり、また該基準点からのランド幅が０〜４０μｍであることを特徴とする回路基板。【選択図】  図２
2005286300.tif 000002
【特許請求の範囲】
【請求項１】
絶縁性基板上に導電層による回路部が形成され、かつ内壁を導電層で被覆または充填された貫通孔および／または非貫通孔を有する回路基板において、貫通孔および／または非貫通孔のランドが該孔に対して同心円状に連続して形成されており、絶縁性基板の角部を基準点として、ランドの非連結部における導電層の最大高さが−５μｍ以上、回路部の導電層の厚み以下であり、また該基準点からのランド幅が０〜４０μｍであることを特徴とする回路基板。
【請求項２】
ランド幅の最大値と最小値との差が８μｍ以下であることを特徴とする請求項１記載の回路基板。
【請求項３】
回路部の導電層の断面形状とランド部の導電層の断面形状が異なることを特徴とする請求項１または２記載の回路基板。
【請求項４】
ランドの導電層において、最大高さを有する部位が孔内壁から孔内導電層厚みの範囲内に存在することを特徴とする請求項１〜３のいずれか記載の回路基板。
【発明の詳細な説明】
【技術分野】
【０００１】
本発明は、回路基板の製造方法に関し、高密度化に対応した貫通孔および／または非貫通孔を有する回路基板に関する。
【背景技術】
【０００２】
近年の電子機器の小型、多機能化に伴い、回路基板も高密度化や配線パターンの微細化が進められており、そのような条件を達成する手段としては、回路基板の多層化が挙げられる。図２２で示したように、複数の配線層を積層して形成した回路基板は、一般にスルーホール３１、バイアホール３２、インタースティシャルバイアホール３３と呼ばれる、内壁を導電層で被覆したあるいは充填した貫通孔、非貫通孔（以下、孔）といった細孔を通じて各層間の導通が行われている。
【０００３】
図２３は、孔を上部から見た概略図である。孔１７の周囲にランド１８と呼ばれる導電層が形成されている。ランドは角形、円形、楕円形、異形等、種々の種類があるが、占有面積あるいは設計面の使いやすさから、円形を用いることが多い。
【０００４】
回路基板の高密度化を達成するために、孔形状には次のような要件が必要とされている。第一の要件は、ランド幅を狭くすることである。図２５は、孔径、孔間距離、回路部の導電層幅が同じ回路基板において、（ａ）狭小ランド幅の孔と（ｂ）広大ランド幅の孔とを比較した概略平面図である。（ｂ）広大ランド幅よりも（ａ）狭小ランド幅の方が、孔間の配線数を多くすることが可能となるので、狭小ランド幅もしくはランドレスの孔が求められている。
【０００５】
孔形状に必要とされる第二の要件は、ランド幅の均一化である。図２３に示したように、全方向に均一なランド幅を有する孔、つまり孔とランドが同心円である状態が最も望ましい。均一ランド幅の孔では、回路基板の設計精度が上がる上に、回路基板の信頼性も向上する。
【０００６】
孔形状に必要とされる第三の要件は、絶縁性基板の角部または／およびその近傍における導電層の断面形状に関するものである。絶縁性基板と導電層とでは、熱膨張率、電気特性等の物理的性質が異なるために、実使用に際して、温度、湿度、電気等による負荷が回路基板にかかる。図２６（ａ）は孔ランド部を示す概略平面図であり、図２６（ｂ）は、図２６（ａ）の線Ａにおける概略断面図である。絶縁性基板の角部である基準点Ｇにおいて、回路基板に対する負荷が最も大きくなる。ゆえに、回路基板の信頼性を向上させるためには、該基準点Ｇにおける負荷がかかりにくい構造を有する孔形状が必要である。
【０００７】
以上のように、高密度化回路基板の孔形状には、ランド幅の狭小化、ランド幅の均一化、信頼性の高い断面形状の３要件が必要とされている。
【０００８】
現在、回路基板を製造する方法としては、サブトラクティブ法、アディティブ法、セミアディティブ法等がある。サブトラクティブ法は、表面に導電層を設けた絶縁性基板の回路部にエッチングレジスト層を設け、露出している非回路部の導電層をエッチング除去して回路を形成する方法である。アディティブ法は、絶縁性基板の表面の非回路部にめっきレジスト層を設け、回路部に相当する部分に無電解めっき処理等で導電層を形成する方法である。セミアディティブ法は、薄い導電層を表面に有する絶縁性基板の非回路部にめっきレジスト層を設け、回路部に相当する部分に電解めっき処理で導電層を形成し、非回路部のめっきレジスト層を除去した後、フラッシュエッチング処理によって、非回路部の薄い導電層を除去して回路を形成する方法である。最も一般的な回路基板の製造方法はサブトラクティブ法であり、高密度に対応した回路基板の製造方法はセミアディティブ法である。
【０００９】
エッチングレジスト層およびめっきレジスト層は、スクリーン印刷法、感光性材料を用いた露光現像工程を有するフォトファブリケーション法、インクジェット法等によって形成される。孔の穴開け加工やスクリーン印刷法、露光工程、インクジェット法等の工程では、位置合わせが必要である。位置合わせが不十分であると、高密度回路基板で要求される上記孔形状の要件を満たすことが不可能である。しかし、現在実施されている回路基板の製造方法においては、穴開け加工の精度、基板の伸縮、露光用フォトマスクの寸法変化、露光用フォトマスクと基板との位置合わせ精度等が原因となって、位置ずれが発生している。
【００１０】
位置合わせが不正確であると、ランド幅の狭小化及びランド幅の均一化が困難となる。
図２５は、孔径、孔間距離、回路部の導電層幅が同じ回路基板において、（ａ）狭小ランド幅の孔と（ｂ）広大ランド幅の孔とを比較した概略平面図であるが、該回路基板において距離Ｘの位置ずれが発生した場合を示したのが、図２７である。図２７（ａ）狭小ランド幅の孔、図２７（ｂ）広大ランド幅の孔のどちらにおいても、均一なランド幅を形成することができていない。図２７（ｂ）広大ランド幅の孔では、孔の周囲全体にランドが形成された状態となっているが、図２７（ａ）狭小ランド幅の孔では、ランドが孔の周囲部分から切れてしまうという問題が発生する。また、配線密度が高いために、孔部分で短絡が発生している。このように、ランド幅の狭小化及びランド幅の均一化が求められているにもかかわらず、位置合わせ精度が十分でないために、ランド幅を大きく設計せざるを得ないというのが実情である（例えば、特許文献１）。
【００１１】
このように、ランド幅の狭小化及びランド幅の均一化は難しいが、ランド幅がゼロであるランドレスの孔については、例えば、電着フォトレジストを使用して製造することが可能である。これは、露光工程において、円柱形状である孔では孔内壁には光が当たらないことを利用した方法である。したがって、テーパー形状を有する孔には、不適当な方法である。
【００１２】
以下、円柱形状の孔のみを有する回路基板について、ランドレスの孔を製造する例について述べる。サブトラクティブ法では、まず、表面および貫通孔または／および非貫通孔の内壁に導電層を有する絶縁性基板の表面にポジ型電着フォトレジストを電着した後、全面露光および露光部のポジ型電着フォトレジストを除去する工程を経ると、貫通孔または／および非貫通孔の導電層内壁にポジ型電着フォトレジスト３４が残存し（図２８）、孔内壁の導電層用のエッチングレジスト層となる。孔上部には光が入るので、ポジ型電着フォトレジストは、孔開口部周辺には存在しない。次いで、ネガ型ドライフィルムフォトレジスト、ネガ型液状フォトレジスト、ネガ型電着フォトレジストから選ばれるフォトレジストを使用して、表面回路部のエッチングレジスト層を形成する。続いて、エッチング工程、エッチングレジスト除去工程を行うと、ランドレス孔を有する回路基板を製造することができる。
【００１３】
このサブトラクティブ法によって得られた回路基板における孔の概略平面図および、該概略平面図の線Ａにおける概略断面図を図３０に示す。図３０（ａ）は、ランドレス孔を上方から見た概略平面図である。図３０（ｂ）は、表面回路部のエッチングレジスト層形成にネガ型ドライフィルムフォトレジストを使用した場合の概略断面図であるが、孔開口部において、ポジ型電着フォトレジストとネガ型ドライフィルムフォトレジストとの重なりがうまくいかないことから、ランド部の導電層と回路部の導電層との間に凹部が発生してしまう場合がある。また、孔開口部周辺には導電層が存在しない。また、図３０（ｃ）は、ネガ型液状フォトレジストまたはネガ型電着フォトレジストを使用した場合の概略断面図であるが、孔開口部周辺には導電層が存在せず、かつ孔内壁導電層の上面が孔内壁に対して垂直となる。このような形状は温度、湿度の影響を受けやすく、回路基板の信頼性が低いものとなる。
【００１４】
次に、セミアディティブ法について説明する。まず、表面および貫通孔または／および非貫通孔の内壁に薄い導電層を有する絶縁性基板の表面にネガ型電着フォトレジストを電着した後、回路露光および未露光部のネガ型電着フォトレジストを除去する工程を経ると、表面導電層上の非回路部にのみ、ネガ型電着フォトレジスト３４が残存し（図２９）、めっきレジスト層となる。孔上部には光が入るので、ネガ型電着フォトレジストは、孔開口部周辺には存在しない。次いで、電解めっき処理を行って、孔内壁部および表面回路部に電解めっき層からなる導電層を形成し、ネガ型電着フォトレジストを除去した後、非回路部の薄い導電層をフラッシュエッチング処理して、ランドレス孔を有する回路基板を製造する。
【００１５】
このセミアディティブ法によって得られた回路基板における孔の概略断面図は、図３０（ｃ）と同様に、孔開口部周辺には導電層が存在せず、かつ孔内壁導電層の上面が孔内壁に対して垂直となる。このような形状は温度、湿度の影響を受けやすく、回路基板の信頼性が低いものとなる。
【００１６】
以上説明したように、ランド幅の狭小化、ランド幅の均一化、そして信頼性の高い断面形状といった、高密度化に必要な要件を全て兼ね備えている孔を有する回路基板は得られていない。
【特許文献１】特開平７−７２６５号公報
【発明の開示】
【発明が解決しようとする課題】
【００１７】
本発明の課題は、ランド幅の狭小化、ランド幅の均一化、そして信頼性の高い断面形状といった高密度化に必要な要件を全て兼ね備えている孔を有する回路基板を提供することである。
【課題を解決するための手段】
【００１８】
本発明者らは、上記課題を解決するために鋭意検討した結果、絶縁性基板上に導電層による回路部が形成され、かつ内壁を導電層で被覆または充填された貫通孔および／または非貫通孔を有する回路基板において、貫通孔および／または非貫通孔のランドが該孔に対して同心円状に連続して形成されており、絶縁性基板の角部を基準点として、ランドの非連結部における導電層の最大高さが−５μｍ以上、回路部の導電層の厚み以下であり、また該基準点からのランド幅が０〜４０μｍであることを特徴とする回路基板を見出した。
【発明の効果】
【００１９】
本発明の回路基板について図を用いて説明する。図１は、本発明の回路基板の孔ランド部を示す平面概略図である。また、図２は、図１の線Ａにおける回路基板の概略断面図である。本発明の回路基板は、孔１７のランド１８が同心円状に連続して形成されていて、絶縁性基板の角部を基準点Ｇとして、該基準点Ｇからのランド幅Ｌが０〜４０μｍである。つまり、ランド幅の狭小化という高密度化に必要な要件を満たしている。このような狭小ランド幅の孔では、図２５（ａ）のように、高密度化が可能となる。ランド幅が４０μｍを超えると、広大ランド幅であり、例えば、図２５（ｂ）のように、低密度の回路基板となってしまう。
【００２０】
さらに、孔ランドの非連結部における導電層の最大高さが−５μｍ以上、回路部の導電層の厚み以下であるため、孔ランドの非連結部において、温度、湿度の影響を受けにくく、回路基板の信頼性が高いものとなる。これは、回路基板において最も負荷がかかると推定される絶縁性基板の角部を導電層で保護しているためである。孔ランドの非連結部における導電層の高さが−５μｍより低くなると、絶縁性基板の露出面積が大きくなり、温度、湿度の影響を受けやすくなってしまう。また、回路部の導電層の厚みを超えると、孔部分が凸となり、機械的な衝撃に対する耐性が低くなったり、回路基板の実装工程で障害となったりする。
【発明を実施するための最良の形態】
【００２１】
以下、本発明の回路基板について詳細に説明する。本発明の回路基板は、絶縁性基板上に導電層による回路部が形成され、かつ内壁を導電層で被覆されたあるいは充填された貫通孔および／または非貫通孔を有する回路基板である。図１は、本発明の回路基板の孔ランド部の概略平面図であり、孔１７の周囲に導電層からなるランド１８が形成され、ランドから配線２８が連結している。本発明の回路基板は、ランド１８が孔１７に対して同心円状に形成されている。また、絶縁性基板の角部を基準点Ｇとして、ランドの非連結部における導電層１８の最大高さＴ１が−５μｍ以上、回路部の導電層の厚みＴ２以下の範囲にある。また基準点Ｇからのランド幅Ｌが４０μｍ以下である。図２（ａ）および図２（ｂ）は、Ｔ１が回路部の導電層の厚みＴ２と同じで、ランド幅Ｌが０μｍより大きく、４０μｍ以下の場合を示している。
【００２２】
図４は、本発明の回路基板において、ランド幅Ｌが０μｍのときの概略平面図を表している。ランドとは、孔の周囲にある導電層をいうが、本発明では、ランド幅Ｌが０μｍの場合、上方部から孔を見たときに確認できる孔内導電層を、ランド幅Ｌが０μｍにおけるランドとする。図４の線Ａにおける回路基板の概略断面図が図５〜図９である。ランド幅Lは０μｍであり、Ｔ１は−５μｍから回路部の導電層の厚みＴ２以下の範囲にある。図５は、ランド部の導電層における上端面が孔内壁に対して垂直になっている。図５（ａ）はＴ１がＴ２と同じであり、図５（ｂ）はＴ１が０μｍ、図５（ｃ）はＴ１が−５μｍ以上０μｍ未満のときを表している。図６は、ランド部の導電層における上端面が扇状になっている。図６（ａ）はＴ１がＴ２と同じであり、図６（ｂ）はＴ１が０μｍ、図６（ｃ）はＴ１が−５μｍ以上０μｍ未満のときを表している。図７は、ランド部の導電層における上端面が凸状になっている。図７（ａ）はＴ１がＴ２と同じであり、図７（ｂ）はＴ１が０μｍ、図７（ｃ）はＴ１が−５μｍ以上０μｍ未満のときを表している。図８は、ランド部の導電層における上端面が孔内壁から孔中心部に向かって高くなっている。図８（ａ）はＴ１がＴ２と同じであり、図８（ｂ）はＴ１が０μｍより大きく、Ｔ２の厚み以下であり、図８（ｃ）はＴ１が−５μｍ以上０μｍ未満のときを表している。図９は、ランド部の導電層における上端面が孔内壁から孔中心部に向かって低くなっている。図９（ａ）はＴ１がＴ２と同じであり、図９（ｂ）はＴ１が０μｍ、図９（ｃ）はＴ１が−５μｍ以上０μｍ未満のときを表している。本発明において、Ｔ１は−５μｍ以上Ｔ２以下の範囲であるが、孔開口部周辺つまり、基準点Ｇ周辺の露出が小さい方が、回路基板の信頼性を高めることから、０μｍ以上Ｔ２以下の範囲にあることがより好ましい。
【００２３】
図１０は、孔内部が導電層で充填されている貫通孔の概略断面図である。図１０（ａ）はランド幅が０μｍより大きく、４０μｍ以下の例である。図１０（ｂ）はランド幅が０μｍである。本発明の回路基板では、ランドの非連結部における導電層の高さＴ１が−５以上、ランドの連結部における導電層の高さＴ２以下であり、ランド幅Lが４０μｍ以下であれば、このように孔内部が導電層で充填されていても良い。
【００２４】
図１１は、貫通孔の一方の開口部と他方の開口部で、ランド形状が異なる例を示した概略断面図である。一方の開口部では、ランドの非連結部における導電層の最大高さＴ１＿ａが０μｍ以上、ランドの連結部における導電層の高さＴ２＿ａ以下であり、ランド幅Ｌ＿ａが４０μｍ以下である。他方の開口部では、ランドの非連結部における導電層の最大高さＴ１＿ｂが０μｍ、ランド幅Ｌ＿ｂが０μｍである。
【００２５】
図１２は、バイアホールの概略断面図である。図１２（ａ）は、バイアホールが導電層で充填されており、ランドの非連結部における導電層の高さＴ１が０μｍ以上、ランドの連結部における導電層の高さＴ２以下であり、ランド幅Lが４０μｍ以下の例である。図１２（ｂ）は、バイアホールが導電層で充填されておらず、ランドの非連結部における導電層の高さＴ１が０μｍ以上、ランドの連結部における導電層の高さＴ２以下であり、ランド幅Lが４０μｍ以下の例である。
【００２６】
図３は、本発明の回路基板の孔ランド部を示す平面概略図である。本発明の回路基板では、ランド幅の最大値と最小値との差が８μｍ以下、より好ましくは５μｍ以下であることが望ましく、この状態を孔とランドは同心円状に連続して形成されている状態とする。この最大値と最小値との差が８μｍ以下であることは、孔の中心とランドの中心がほとんどずれていない状態と言えるので、本発明の回路基板はランド幅の均一化という要件を満たしている。つまり、本発明の回路基板は、製造工程時の位置ずれ精度の影響を受けにくい回路基板である。該差が、８μｍより大きくなると、図２４（ａ）のように孔の周囲にランドが均一幅で形成されていないものとなり、信頼性の低い回路基板となる。
【００２７】
図１３は、本発明の回路基板の孔ランド部を示す平面概略図である。図１４は、図１３の線Bにおける概略断面図であり、図１５は、図１３の線Cにおける概略断面図である。本発明の回路基板では、回路部の導電層の断面形状とランド部の導電層の断面形状が異なることが好ましい。このような場合、回路部の導電層とランド部の導電層との接続部における体積が大きくなるので、接続部での電気的信頼性が向上するという優位な効果をもたらす。回路部の導電層の断面形状とランド部の断面形状の組み合わせとしては、例えば、図１４（ａ）−図１５（ｂ）、図１４（ａ）−図１５（ｃ）、図１４（ｂ）−図１５（ａ）、図１４（ｂ）−図１５（ｃ）、図１４（ｃ）−図１５（ａ）、図１４（ｃ）−図１５（ｂ）を挙げることができる。
【００２８】
ランドの導電層において、最大高さを有する部位が孔内壁から孔内導電層厚みの範囲内に存在する本発明の回路基板（４）とは、ランドレス孔もしくは、図１６に記載されているランド幅が極狭小である狭小ランド幅孔をいう。円柱状やテーパー状等、孔の穴開け形状に係わらず、このような孔を有する回路基板は高密度化に対応しており、本発明の回路基板の有効な実施形態となる。
【００２９】
以下実施例によって本発明を更に詳しく説明する。
【実施例１】
【００３０】
サブトラクティブ法による回路基板の製造
樹脂フィルムラミネート
表１の組成からなる塗布液を用い、厚さ２５μｍのポリエチレンテレフタレートフィルム（三菱化学ポリエステルフィルム製）上に、カーテンコート法を用いて、アルカリ可溶性樹脂からなる第一樹脂層フィルム（第一樹脂層の厚さ２０μｍ）を製造した。
【００３１】
【表１】
2005286300.tif 000003
【００３２】
回路形成用基板として、５１０×３４０×０．４ｍｍで、銅箔約１２μｍ厚の銅張積層板Ａ〜Ｄを用い、ドリルで０．１５ｍｍの径の貫通孔を複数形成し、無電解銅めっき−電解銅めっき処理（奥野製薬（株）、ＯＰＣプロセスＭ）を実施し、表面および貫通孔内壁に約１２．５μｍ厚の銅めっき層を形成した。次に、ドライフィルム用ラミネーターを用いて１２０℃予熱条件で、上記第一樹脂層フィルムをラミネートし、第一樹脂層とした。その後、常温下でポリエチレンテレフタレートフィルムを剥離した。
【００３３】
第二樹脂層形成
樹脂フィルム層表面にコロナ帯電機（帯電トランス出力；＋５．０ｋＶ）を用いて両面に電荷を与えた。表面電位を測定したところ、表面導電層上の第一樹脂層は＋１００Ｖ、孔上の樹脂フィルム部は＋３００Ｖであり、表面導電層上と孔上で電位差が生じていることが確認された。次に、三菱ＯＰＣプリンティングシステム用正電荷トナー（三菱製紙（株）製、「ＯＤＰ−ＴＷ」）を用いて、バイアス電圧＋２００Ｖを印加して反転現像を行い、トナーを孔部以外全面に電着させた。続いて７０℃で２分間加熱してトナーを定着させ、良好な第二樹脂層を得た。
【００３４】
樹脂付開口基板の製造
第二樹脂層が設けられていない孔上の第一樹脂層のみを、アルカリ水溶液を用いて、溶出除去することにより、図１７に示したような樹脂付開口基板を形成した。該樹脂付開口基板を顕微鏡で観察したところ、孔部において第一樹脂層および第二樹脂層が存在しない部分を観察した。アルカリ溶出の条件を変えることで、図１７で示した穴開け加工時のスルーホール径Ｌ１、銅めっき時のスルーホール径Ｌ２、第一樹脂層除去部の径Ｌ３は、表２に示した結果となった。
【００３５】
【表２】
2005286300.tif 000004
【００３６】
第四樹脂層形成
第二樹脂層表面にコロナ帯電機（帯電トランス出力；＋４．２ｋＶ）を用いて両面に電荷を与えた。表面電位を測定したところ、２５０Ｖであった。次に、アクリル樹脂性エマルジョン（特開２００２−２９６８４７号公報の実施例１記載のトナー）を用いて、バイアス電圧＋２００Ｖを印加して反転現像を行い、孔内部の導電層上にトナーを付着させた。９０度で２分間、トナーを熱定着し、第四樹脂層を得た。
【００３７】
第一樹脂層除去、第二樹脂層除去
第二樹脂層と第一樹脂層を、５０℃の３％水酸化ナトリウム水溶液で一括除去し、水洗後９０℃で２０分間乾燥することにより、孔内部の導電層が第四樹脂層で被覆された基板を得た。スルーホール部を顕微鏡で観察したところ、第四樹脂層は、スルーホールに対して同心円状に形成されていた。図１８で示した穴開け加工時のスルーホール径Ｌ４、銅めっき時のスルーホール径Ｌ５、第四樹脂層被覆部の径Ｌ６は、表３に示した結果となった。
【００３８】
【表３】
2005286300.tif 000005
【００３９】
光架橋性樹脂層によるエッチングレジスト層形成
イエローセーフライト下で、ドライフィルムフォトレジスト用ラミネーターを用いて、１０μｍ厚の市販ドライフィルムレジストを基板両面に熱圧着し、導電層上に光架橋性樹脂層を設けた。回路パターンを描画したフォトマスク（導体幅および間隙：５０μｍ）を載せ、吸引密着機構を有する焼付用高圧水銀灯光源装置（ユニレックＵＲＭ３００、ウシオ電機製）を用い、３０秒間紫外線露光を行った。さらに、基板を反転して、逆面の光架橋性樹脂層に対しても同様に露光を行い、回路パターンの架橋部を形成した。キャリアーフィルムを剥離した後、未硬化の光架橋性樹脂層を、１質量％炭酸ナトリウム水溶液（３０℃）を用いて溶出除去し、架橋部からなるエッチングレジスト層を形成した。
【００４０】
回路基板の製造
塩化第二鉄系のエッチング液（４０℃、スプレー圧  ３．０ｋｇ／ｃｍ２）で処理し、露出している電解銅めっき層、無電解銅めっき層、銅張積層板の銅層を除去した。エッチングレジスト層として使用した光架橋性樹脂層の架橋部および第四樹脂層を３質量％水酸化ナトリウム水溶液（４０℃）およびメチルエチルケトンで除去し、回路基板を得た。
【００４１】
回路基板の評価
（１）形状観察
得られた回路基板を顕微鏡観察したところ、スルーホール周囲部の導電層であるランドは、スルーホールと同心円状に形成されていた。図１９で示した穴開け加工時のスルーホール径Ｌ７、銅めっき時のスルーホール径Ｌ８、ランド径Ｌ９、図２における非連結部における導電層の最大高さＴ１、回路部の導電層の厚みＴ２、ランド幅Ｌは、表４に示した結果となった。また、回路部およびスルーホール部に断線は確認されなかった。
【００４２】
【表４】
2005286300.tif 000006
【００４３】
図３で示した孔のランド幅の最大値Ｌｍａｘと最小値Ｌｍｉｎを１００点測定し、その差の最大値を表５に示した。Ｌは平均ランド幅を示す。狭小ランド幅の回路基板Ｃ〜Ｄにおいて、該差は８μｍ以下であることを確認した。
【００４４】
【表５】
2005286300.tif 000007
【００４５】
回路基板Ａ〜Ｄにおいて、ランド部の導電層の断面形状と回路部の導電層の断面形状を観察したところ、表６のような結果となった。また、回路基板Ａ〜Ｂでは、ランドの導電層において、最大高さを有する部位は孔内壁から孔内導電層厚みの範囲内に存在することを確認した。
【００４６】
【表６】
2005286300.tif 000008
【００４７】
（２）信頼性試験
＜熱衝撃試験＞
回路基板から評価用基板（評価用ライン：２４本）を２０個切り出し、各々の製造後の導通抵抗を測定した。−６５℃において５分間保持し、１５０℃において５分間保持するサイクルを１０００回繰り返し、その後導通抵抗を測定した。導通抵抗が増大している評価用ライン数の割合を表７に示した。
【００４８】
＜温度サイクル試験＞
回路基板から評価用基板（評価用ライン：２４本）を２０個切り出し、各々の製造後の導通抵抗を測定した。−６５℃において１５分間保持し、１５０℃において１５分間保持するサイクルを１０００回繰り返し、その後導通抵抗を測定した。導通抵抗が増大している評価用ライン数の割合を表７に示した。
【００４９】
＜飽和上記加圧試験＞
回路基板を１２１℃、相対湿度１００％、圧力  ０．２１ＭＰａで保存し、１６８時間経過後にクラックが発生しているかを確認し、表７に結果を示した。
【００５０】
【表７】
2005286300.tif 000009
【００５１】
本発明の回路基板Ａ〜Ｄは非常に高い信頼性を有していることを確認した。
【００５２】
（比較例 １）
５１０×３４０×０．４ｍｍの銅箔１２μｍ厚の銅張り積層板を用い、ドリルで０．１５ｍｍの径の貫通孔を複数形成し、無電解銅めっき−電解銅めっき処理（奥野製薬（株）、ＯＰＣプロセスＭ）を実施し、表面および貫通孔内壁に約１２．５μｍ厚の銅めっき層を形成した。イエローセーフライト下で、ドライフィルム用ラミネーターを用いて、１０μｍ厚の市販ドライフィルムレジストを基板両面に熱圧着し、導電層上に光架橋性樹脂層を設けた。回路パターンを描画したフォトマスク（導体幅：５０μｍ、導体間隙：５０μｍ、ランド径：２５０μｍ）を載せ、吸引密着機構を有する焼付用高圧水銀灯光源装置（ユニレックＵＲＭ３００、ウシオ電機製）を用い、３０秒間紫外線露光を行った。さらに、基板を反転して、逆面の光架橋性樹脂層に対しても同様に露光を行い、回路パターンの架橋部を形成した。キャリアーフィルムを剥離した後、未硬化の光架橋性樹脂層を、１質量％炭酸ナトリウム水溶液（３０℃）を用いて溶出除去し、架橋部からなるエッチングレジスト層を形成した。スルーホール部は架橋した光架橋性樹脂層でテンティングにより保護した。
【００５３】
塩化第二鉄系のエッチング液（４０℃、スプレー圧  ３．０ｋｇ／ｃｍ２）で処理し、露出している電解銅めっき層、無電解銅めっき層、銅張積層板の銅層を除去した。エッチング処理終了後の光架橋性樹脂層を確認したところ、スルーホール部で剥がれているものがあった。エッチングレジスト層として使用した光架橋性樹脂層の架橋部を３質量％水酸化ナトリウム水溶液（４０℃）で除去し、回路基板を得た。得られた回路基板を顕微鏡観察したところ、穴開け加工時のスルーホール径は１５０μｍ、銅めっき部のスルーホール径は１２５μｍであった。ランド径は２４０μｍであった。ランド幅の最大値と最小値の差を１００点測定したところ、その最大値は１７μｍであり、ランドはスルーホールに対して同心円状に形成されておらず、ランド幅は不均一であった。また、光架橋性樹脂層が剥がれていた部分には段差が生じていた。
【００５４】
比較例１の回路基板の断面形状を観察したところ、回路部の導電層の形状は図１５（ｃ）のようであり、ランド部の導電層の形状は図１４（ｃ）のようになっており、同形状であることが確認された。
【００５５】
比較例１の回路基板において、実施例１記載の信頼性試験を行った結果を、表８に示した。比較例１の回路基板では、飽和蒸気加圧試験の結果は、実施例１で得られた回路基板と同様であったが、熱衝撃試験および温度サイクル試験の結果は低いものとなった。
【００５６】
【表８】
2005286300.tif 000010
【実施例２】
【００５７】
５１０×３４０×０．４ｍｍの銅箔１２μｍ厚の銅張り積層板を用い、ドリルで０．１５ｍｍの径の貫通孔を複数形成し、無電解銅めっき−電解銅めっき処理（奥野製薬（株）、ＯＰＣプロセスＭ）を実施し、表面および貫通孔内壁に約１２．５μｍ厚の銅めっき層を形成した。イエローセーフライト下で、市販のポジ型（光分解型）電着フォトレジストを電着法により塗布し、貫通孔内壁を含む導電層上に光分解性樹脂層（厚み：８μｍ）を設けた。回路パターンのみを描画したフォトマスク（導体幅：５０μｍ、導体間隙：５０μｍ）を載せ、吸引密着機構を有する焼付用高圧水銀灯光源装置（ユニレックＵＲＭ３００、ウシオ電機製）を用い、３０秒間紫外線露光を行った。さらに、基板を反転して、逆面の光分解性樹脂層に対しても同様に露光を行い、非回路部の光分解性樹脂層を分解した。分解した光分解性樹脂層を、１質量％炭酸ナトリウム水溶液（３０℃）を用いて溶出除去し、残存する光分解性樹脂層からなるエッチングレジスト層を形成した。塩化第二鉄系のエッチング液（４０℃、スプレー圧  ３．０ｋｇ／ｃｍ２）で処理し、露出している電解銅めっき層、無電解銅めっき層、銅張積層板の銅層を除去した。エッチングレジスト層として使用した残存する光分解性樹脂層を３質量％水酸化ナトリウム水溶液（４０℃）で除去し、回路基板を得た。得られた回路基板を顕微鏡観察したところ、穴開け加工時のスルーホール径は１５０μｍ、銅めっき部のスルーホール径は１２５μｍ、図５（ｃ）における非連結部における導電層の最大高さＴ１＝−５μｍ、回路部の導電層の厚みＴ２＝２４．５μｍ、ランド幅Ｌ＝０μｍであった。
【００５８】
実施例２で得られた回路基板に対して、実施例１記載の信頼性試験を行った結果を、表９に示した。実施例２の回路基板では、飽和蒸気加圧試験の結果は、実施例１で得られた回路基板と同様であったが、熱衝撃試験および温度サイクル試験の結果はわずかに低かった。
【００５９】
【表９】
2005286300.tif 000011
【実施例３】
【００６０】
セミアディティブ法による回路基板の製造
孔部の不要めっきレジスト層除去
ガラス基材エポキシ樹脂基板（３４０×５１０×０．１ｍｍ）Ｆ、Ｈ、およびＩに、０．１５ｍｍφのスルーホールを開けた後、デスミア処理を施し、次いで無電解めっき処理を行い、スルーホール内部を含む表面に厚さ約０．５μｍの無電解銅めっき層を第一導電層として設けた。イエローセーフライト下で、ドライフィルムフォトレジスト用ラミネーターを用いて、２０μｍ厚の回路形成用ドライフィルムフォトレジストを基板両面に熱圧着し、導電層上に光架橋性樹脂層を設けた。
【００６１】
次いで、常温下でキャリアーフィルムを剥離した後、光架橋性樹脂層表面にコロナ帯電機（帯電トランス出力；＋５．０ｋＶ）を用いて両面に電荷を与えた。続いて、三菱ＯＰＣプリンティングシステム用正電荷トナー（三菱製紙（株）製、「ＯＤＰ−ＴＷ」）を用いて、バイアス電圧＋２００Ｖを印加して反転現像を行い、該トナーを孔部以外全面に電着させた。続いて７０℃で２分間加熱してトナーを定着させ、良好な第二樹脂層を得た。
【００６２】
次に、孔上の光架橋性樹脂層のみを光架橋性樹脂層除去液を用いて溶解除去した。スルーホール部を顕微鏡で観察したところ、スルーホール周囲部の光架橋性樹脂層は、スルーホールと同心円状に除去されていた。図２０で示した穴開け加工時のスルーホール径Ｌ１０、めっき加工時のスルーホール径Ｌ１１、光架橋性樹脂層除去部の径Ｌ１２は、表１０に示した結果となった。
【００６３】
【表１０】
2005286300.tif 000012
【００６４】
回路部の不要めっきレジスト層除去
イエローセーフライト下で、第四樹脂層上に回路パターンを描画したフォトマスク（導体幅および間隙：５０μｍ）を載せ、吸引密着機構を有する焼付用高圧水銀灯光源装置（ユニレックＵＲＭ３００、ウシオ電機製）を用い、３０秒間紫外線露光を行った。さらに、基板を反転して、逆面に対しても同様に露光を行い、架橋部を形成した。次いで、露光処理が終了した基板に対し、キシレンおよび１質量％炭酸ナトリウム水溶液（３０℃）を用いて、第二樹脂層および未硬化の光架橋性樹脂層を溶出除去し、回路部に相当する第一導電層を露出させた。
【００６５】
回路部の形成
次いで、電解銅めっきを行って、第一導電層上に厚さ約１２μｍの電解銅めっき層を、第二導電層として形成した。続いて、水酸化ナトリウム水溶液で処理し、レジスト層として使用した光架橋性樹脂の架橋部を剥離除去した。
【００６６】
さらに、硫酸−過酸化水素系のエッチング液（３０℃、スプレー圧：２．０ｋｇ／ｃｍ２）で処理し、露出している第一導電層を除去し、回路基板を得た。
【００６７】
回路基板の評価
（１）形状観察
得られた回路基板を顕微鏡で観察したところ、ランドはスルーホールと同心円状に除去されていた。図２１で示した穴開け加工時のスルーホール径Ｌ１３、めっき部のスルーホール径Ｌ１４、ランド径Ｌ１５、図２における非連結部における導電層の最大高さＴ１、回路部の導電層の厚みＴ２、ランド幅Ｌは、表１１に示した結果となった。また、回路部およびスルーホール部に断線は確認されなかった。
【００６８】
【表１１】
2005286300.tif 000013
【００６９】
図３で示した孔のランド幅の最大値Ｌｍａｘと最小値Ｌｍｉｎを１００点測定し、その差の最大値を表１２に示した。Ｌは平均ランド幅を示す。狭小ランド幅の回路基板Ｈ〜Ｉにおいて、該差はランド幅の２５％以下であることを確認した。
【００７０】
【表１２】
2005286300.tif 000014
【００７１】
回路基板Ｆ、Ｈ〜Ｉにおいて、ランド部の導電層の断面形状と回路部の導電層の断面形状を観察したところ、表１３のような結果となった。また、回路基板Ｆでは、ランドの導電層において、最大高さを有する部位は孔内壁から孔内導電層厚みの範囲内に存在することを確認した。
【００７２】
【表１３】
2005286300.tif 000015
【００７３】
（２）信頼性試験
実施例１に記載の方法で、回路基板Ｆ、Ｈ〜Ｉに対して、信頼性試験を行い、その結果を表１４に示した。
【００７４】
【表１４】
2005286300.tif 000016
【００７５】
本発明の回路基板Ｆ、Ｈ〜Ｉは、非常に高い信頼性を有していることを確認した。
【実施例４】
【００７６】
ガラス基材エポキシ樹脂基板（３４０×５１０×０．１ｍｍ）に、０．１５ｍｍφのスルーホールを開けた後、デスミア処理を施し、無電解めっき処理を行い、スルーホール内部を含む表面に厚さ約０．５μｍの無電解銅めっき層を第一導電層として設けた。ドライフィルム用ラミネーターを用いて、イエローセーフライト下で、市販の光架橋性ドライフィルムフォトレジストを熱圧着したのち、フォトマスク（ランドレス用。導体幅および間隙：５０μｍ）を介して、吸引密着機構を有する焼付用高圧水銀灯光源装置（ユニレックＵＲＭ３００、ウシオ電機製）を用い、３０秒間紫外線露光を行った。次いで、１質量％の炭酸ナトリウム水溶液（液温３５℃）にてアルカリ溶出を行うことにより、非回路部にめっきレジスト層を形成した。
【００７７】
次いで、電解銅めっきを行って、第一導電層が露出した部分の表面に、厚さ約１２μｍの第二導電層を形成した。次いで、４０℃の３質量％水酸化ナトリウム溶液で処理し、フォトレジスト層を除去した。続いて、硫酸−過酸化水素系のエッチング液（３０℃、スプレー圧：２．０ｋｇ／ｃｍ２）で処理し、第一導電層をエッチングし、回路基板を得た。得られた回路基板を顕微鏡で観察したところ、穴開け加工時のスルーホール径は１５０μｍ、銅めっき部のスルーホール径は１２６μｍであった。図５（ｃ）における非連結部における導電層の高さＴ１＝−０．５μｍ、回路部の導電層の厚みＴ２＝１１．５μｍ、Ｌ＝０μｍであった。
【００７８】
実施例４で得られた回路基板に対して、実施例１記載の信頼性試験を行った結果を、表１５に示した。実施例４の回路基板では、飽和蒸気加圧試験の結果は、実施例３で得られた回路基板と同様であったが、熱衝撃試験および温度サイクル試験の結果はわずかに低かった。
【００７９】
【表１５】
2005286300.tif 000017
【００８０】
（比較例２）
ガラス基材エポキシ樹脂基板（３４０×５１０×０．１ｍｍ）に、０．１５ｍｍφのスルーホールを開けた後、デスミア処理を施し、無電解めっき処理を行い、スルーホール内部を含む表面に厚さ約０．５μｍの無電解銅めっき層を第一導電層として設けた。ドライフィルム用ラミネーターを用いて、イエローセーフライト下で、市販の光架橋性ドライフィルムフォトレジストを熱圧着したのち、フォトマスク（導体幅：５０μｍ、導体間隙：５０μｍ、ランド径：２５０μｍ）を介して、吸引密着機構を有する焼付用高圧水銀灯光源装置（ユニレックＵＲＭ３００、ウシオ電機製）を用い、３０秒間紫外線露光を行った。次いで、１質量％の炭酸ナトリウム水溶液（液温３５℃）にてアルカリ溶出を行うことにより、非回路部にめっきレジスト層を形成した。
【００８１】
次いで、電解銅めっきを行って、第一導電層が露出した部分の表面に、厚さ約１２μｍの第二導電層を形成した。次いで、４０℃の３質量％水酸化ナトリウム溶液で処理し、フォトレジスト層を除去した。続いて、硫酸−過酸化水素系のエッチング液（３０℃、スプレー圧：２．０ｋｇ／ｃｍ２）で処理し、第一導電層をエッチングし、回路基板を得た。得られた回路基板を顕微鏡で観察したところ、穴開け加工時のスルーホール径は１５０μｍ、銅めっき部のスルーホール径は１２６μｍであった。図２（ａ）における非連結部における導電層の高さＴ１＝１１．５μｍ、回路部の導電層の厚みＴ２＝１１．５μｍ、ランド径は２６０μｍであった。孔のランド幅の最大値と最小値を１００点測定したところ、その差の最大値は１８μｍであり、ランドはスルーホールに対して同心円状に形成されておらず、ランド幅は不均一であった。
【００８２】
比較例２の回路基板の断面形状を観察したところ、回路部の導電層の形状は図１５（ｂ）のようであり、ランド部の導電層の形状は図１４（ｂ）のようになっており、同形状であることが確認された。
【００８３】
比較例２の回路基板において、実施例１記載の信頼性試験を行った結果を、表１６に示した。比較例２の回路基板では、飽和蒸気加圧試験の結果は、実施例３で得られた回路基板と同様であったが、熱衝撃試験および温度サイクル試験の結果は低いものとなった。
【００８４】
【表１６】
2005286300.tif 000018
【産業上の利用可能性】
【００８５】
本発明は、プリント配線板、半導体装置等に利用することができる。
【図面の簡単な説明】
【００８６】
【図１】本発明の回路基板の孔ランド部を表す概略平面図。
【図２】図１の線Ａ部分における概略断面図。
【図３】本発明の回路基板の孔ランド部を表す概略平面図。
【図４】本発明の回路基板の孔ランド部を表す概略平面図。
【図５】図４の線Ａ部分における概略断面図。
【図６】図４の線Ａ部分における概略断面図。
【図７】図４の線Ａ部分における概略断面図。
【図８】図４の線Ａ部分における概略断面図。
【図９】図４の線Ａ部分における概略断面図。
【図１０】本発明の回路基板の一例を表す概略断面図。
【図１１】本発明の回路基板の一例を表す概略断面図。
【図１２】本発明の回路基板の一例を表す概略断面図。
【図１３】本発明の回路基板の孔ランド部を表す概略平面図。
【図１４】図１３の線Ｂ部分における概略断面図。
【図１５】図１３の線Ｃ部分における概略断面図。
【図１６】本発明の回路基板の一例を表す概略断面図。
【図１７】本発明の実施例において、一工程を表す概略断面図。
【図１８】本発明の実施例において、一工程を表す概略断面図。
【図１９】本発明の実施例において、一工程を表す概略断面図。
【図２０】本発明の実施例において、一工程を表す概略断面図。
【図２１】本発明の実施例において、一工程を表す概略断面図。
【図２２】多層回路基板の一例を表す概略断面図。
【図２３】孔とランドを表す平面概略図。
【図２４】孔とランドの位置ずれを表す平面概略図。
【図２５】孔径、孔間距離、回路部の導電層幅が同じ場合における（ａ）狭小ランド幅の孔と（ｂ）広大ランド幅の孔とを比較した概略平面図。
【図２６】（ａ）孔ランド部を表す平面概略図と、（ｂ）（ａ）の線Ａ部分における概略断面図。
【図２７】孔径、孔間距離、回路部の導電層幅が同じ場合における（ａ）狭小ランド幅の孔と（ｂ）広大ランド幅の孔において、位置ずれを比較した概略平面図。
【図２８】従来技術において、一工程を表す概略断面図。
【図２９】従来技術において、一工程を表す概略断面図。
【図３０】従来技術において得られる回路基板の孔とランドおける（ａ）概略平面図、（ｂ）（ａ）の線Ａ部分における概略断面図、（ｃ）（ａ）の線Ａ部分における概略断面図。
【符号の説明】
【００８７】
１  絶縁性基板
２  導電層
３  孔
５  第一樹脂層
６  第二樹脂層
１０  第四樹脂層
１２  第一導電層
１３  第二導電層
１６  孔内壁の導電層
１７  孔
１８  ランド
２５  光架橋性樹脂層
２８  回路部
３１  スルーホール（貫通孔）
３２  バイアホール（非貫通孔）
３３  インタースティシャルバイアホール
３４  電着フォトレジスト
３８  ドライフィルムフォトレジスト
３９  架橋部
【図１】
2005286300.tif 000019
【図２】
2005286300.tif 000020
【図３】
2005286300.tif 000021
【図４】
2005286300.tif 000022
【図５】
2005286300.tif 000023
【図６】
2005286300.tif 000024
【図７】
2005286300.tif 000025
【図８】
2005286300.tif 000026
【図９】
2005286300.tif 000027
【図１０】
2005286300.tif 000028
【図１１】
2005286300.tif 000029
【図１２】
2005286300.tif 000030
【図１３】
2005286300.tif 000031
【図１４】
2005286300.tif 000032
【図１５】
2005286300.tif 000033
【図１６】
2005286300.tif 000034
【図１７】
2005286300.tif 000035
【図１８】
2005286300.tif 000036
【図１９】
2005286300.tif 000037
【図２０】
2005286300.tif 000038
【図２１】
2005286300.tif 000039
【図２２】
2005286300.tif 000040
【図２３】
2005286300.tif 000041
【図２４】
2005286300.tif 000042
【図２５】
2005286300.tif 000043
【図２６】
2005286300.tif 000044
【図２７】
2005286300.tif 000045
【図２８】
2005286300.tif 000046
【図２９】
2005286300.tif 000047
【図３０】
2005286300.tif 000048